(57)【要約】    【課題】  拡大表示機能を有する電子機器において、拡大表示位置の選択操作を容易にする。    【解決手段】  撮像部１００と、撮像した画像データとその画像データに関する撮像情報を保管する一時記憶領域であるバッファメモリ１０１と、撮影した画像データに対し撮影情報をもとにホワイトバランスや圧縮処理などの画像処理を行なう画像処理部１０２と、画像処理部１０２で画像処理した画像データを記憶する一時記憶領域であるバッファメモリ１０３と、コンパクトフラッシュ(登録商標)やハードディスクなどの記憶媒体とのインタフェース１０８と、前記記憶媒体１０９と、システム全体を制御するシステム制御部１０７と、ＴＦＴなどの画像表示部１０５と、画像表示部を制御する画像表示制御部１０６と、システム全体の操作を行う操作部１０４とで構成される電子機器。【選択図】      図１
2005150962.tif 000002
【特許請求の範囲】
【請求項１】
撮影した画像をＴＦＴなどの表示装置に拡大表示する機能と、撮影した画像のどの部分を拡大表示させるかを選択するために、拡大表示位置を選択する手段を有する電子機器において、上記手段により選択された拡大表示位置を登録または消去をすることを特徴とした電子機器。
【請求項２】
撮影した画像をＴＦＴなどの表示装置に拡大表示する機能と、撮影した画像のどの部分を拡大表示させるかを選択するために、拡大表示位置を選択する手段を有する電子機器において、登録した拡大表示位置を拡大表示ホームポジションとして登録すことを特徴とする請求項１記載の電子機器。
【請求項３】
撮影した画像をＴＦＴなどの表示装置に拡大表示する機能と、撮影した画像のどの部分を拡大表示させるかを選択するために、拡大表示位置を選択する手段を有する電子機器において、拡大表示位置の表示ホームポジション移動のための釦などの操作部材を有し、前記記載の部材を操作することで前記記載のポジションに移動することを特徴とした請求項１又は請求項２記載の電子機器。
【請求項４】
撮影した画像をＴＦＴなどの表示装置に拡大表示する機能と、撮影した画像のどの部分を拡大表示させるかを選択するために、拡大表示位置を選択する手段を有する電子機器において、撮影画像の全ての拡大表示位置から任意の複数個の拡大表示位置を選択、登録し、登録した拡大表示位置のみを拡大表示機能で使用する対象拡大表示位置とすることを特徴とした請求項１記載の電子機器。
【請求項５】
撮影した画像をＴＦＴなどの表示装置に拡大表示する機能と、撮影した画像のどの部分を拡大表示させるかを選択するために、拡大表示位置を選択する手段を有し、拡大表示を連続的表示する機能を有する電子機器において、登録された拡大表示位置のみを連続表示させる請求項１から請求項４記載の電子機器。
【請求項６】
撮影した画像をＴＦＴなどの表示装置に拡大表示する機能と、撮影した画像のどの部分を拡大表示させるかを選択するために、拡大表示位置を選択する手段を有する電子機器において、登録された拡大表示位置の処理を登録順に行うことを特徴とした請求項３から請求項５記載の電子機器。
【請求項７】
撮影した画像をＴＦＴなどの表示装置に拡大表示する機能と、撮影した画像のどの部分を拡大表示させるかを選択するために、拡大表示位置を選択する手段を有する電子機器において、拡大表示位置の登録機能を有効または無効にすることを特徴とした、請求項１から請求項６記載の電子機器。
【請求項８】
前記電子機器は画像記録装置又はデジタルスチルカメラであることを特徴とする電子機器。
【請求項９】
撮影した画像のうち複数の領域を拡大して出力可能な出力手段と、画像のうち拡大する領域を選択する選択手段と、前記選択手段によって選択された領域を登録又は消去する処理手段とを有することを特徴とする電子機器。
【発明の詳細な説明】
【技術分野】
【０００１】
本発明は、拡大表示機能を有する電子機器に関し、詳しくは撮影された画像の拡大表示位置の移動操作に特徴を有する電子機器に関する。
【背景技術】
【０００２】
拡大表示機能を有するデジタルスチルカメラでは、撮影された画像を拡大表示する場合、拡大表示位置を選択し拡大表示する。拡大表示位置選択のための拡大表示位置の移動は、現在の拡大表示位置から順次拡大表示位置を移動しながら目的の拡大表示位置に移動し、選択するのが通常である。
【特許文献１】特開平１１−３３１６５１号公報
【特許文献２】特開２００２−３５４４０１号公報
【発明の開示】
【発明が解決しようとする課題】
【０００３】
上記操作の場合、たとえば常に同じ拡大表示位置を使用して作業をしており、時々別の拡大表示位置に移動し拡大表示をさせ作業を行い、再度上記使用頻度の高い拡大表示位置に移動する場合、その度に順次移動しなくてはならないので使用頻度の高い拡大表示位置から離れた拡大表示位置からの移動には操作に無駄が発生する。また、拡大表示は撮影した画像に対して全ての部分で拡大表示が可能なように拡大表示位置が存在するので、使用者にとっては不必要な拡大表示位置まで含んだ拡大表示位置の移動操作をするため無駄な操作が発生する。
【課題を解決するための手段】
【０００４】
前述の課題を解決するため、拡大表示機能を有する電子機器において、任意の拡大表示位置を登録する機能を有し、拡大表示機能の対象となる拡大表示位置を限定する。また、登録された拡大表示位置の内、特に使用頻度の高い拡大表示位置は拡大表示ホームポジションとして登録することが可能である。
【０００５】
本発明では拡大表示機能で使用される拡大表示位置を使用者が任意に複数登録することで拡大表示機能に使用される拡大表示位置を限定し、必要ない拡大表示位置を操作対象としないので拡大表示位置の移動層操作における操作性が非常に容易になる。
【発明の効果】
【０００６】
本発明では拡大表示機能で使用される拡大表示位置を使用者が任意に複数登録することで拡大表示機能に使用される拡大表示位置を限定する。また頻繁に使用する拡大表示位置を拡大表示位置のホームポジションとして登録すること特徴とする。そうすることで、拡大表示フレームの移動操作において、必要ない拡大表示位置を操作対象としないので拡大表示位置の操作性が非常に容易になる。
【発明を実施するための最良の形態】
【０００７】
以下、本発明の実施の形態について説明する。
【実施例１】
【０００８】
撮影に必要なＣＣＤなどの撮像素子やレンズなどの光学部材および各種電子機器を含む撮像部１００と、撮影した画像データを格納する前バッファであるバッファメモリ１０１と、前記格納された画像データを画像処理および圧縮処理を行う画像処理部１０２と、画像処理および圧縮処理後の画像データを格納する後バッファであるバッファメモリ１０３と、デジタルスチルカメラ本体を操作する操作部１０４と、撮影した画像表示および操作のためのメニュー表示をするための画像表示装置１０５と、画像表示を制御する画像表示制御部１０６と、デジタルスチルカメラ全体を制御する制御部１０７と、コンパクトフラッシュ（登録商標）などのリムーバブルな外部記憶装置とのインタフェース１０８とリムーバブルな外部記憶装置１０９とからなる画像記録装置やデジタルカメラなどの電子機器において、電子機器としてのデジタルカメラは撮影後の画像データを画像表示部１０５へ拡大表示をする拡大表示機能を有し、また、操作部１０４の操作により、画像データのどの部分を拡大表示させるか選択するための拡大表示位置選択機能を有する。
【０００９】
拡大表示位置として、例えば全体画像を２５分割した拡大表示位置を拡大表示フレームとしてもよく（図２）、また非常に細かく拡大表示位置を示してもよい。本実施例では前記の拡大表示フレームを拡大表示位置として説明する。拡大表示機能は操作部１０４によりその機能が選択され、拡大表示指示がされると指定された拡大表示フレームの画像が拡大表示される（図３）。
【００１０】
請求項７に示すように、本デジタルスチルカメラは操作部１０４による操作より拡大表示フレームの登録機能を有効にするか無効にするかの設定が可能である。登録機能の有効無効の選択は画像表示部１０５に表示される機能メニューの内容を確認しながら選択される。もし、本デジタルスチルカメラがパソコンなどの外部制御装置と接続可能な機能を有し、かつ前記外部制御装置から前記登録機能の有効無効の切り替えをリモート制御により可能とする場合、前記拡大表示フレームの登録機能の有効無効制御を前記外部制御装置から行ってもよい。
【００１１】
図４の４−Ａに示すように拡大表示機能が選択されると現在の拡大表示フレームの位置が表示される。使用者は画像表示部１０５に表示される拡大表示フレームの位置を確認しながら操作部１０４で所望の拡大表示フレームの位置まで拡大表示フレームを移動させる（図４の４−Ｂ）。拡大表示フレームの登録は操作部１０４に含まれる拡大表示フレーム登録釦により登録される。登録は選択された拡大表示フレームの位置と登録された順番が登録される（図１１）。
【００１２】
ただし、登録の順番については順番としての情報を直接持ってもポインタとしての情報で実現しても、実現方法についてはかまわない。とにかく登録された順番が認識できればよい。
【００１３】
拡大表示フレームの登録機能が有効でありかつ拡大表示フレームが登録されている場合、拡大表示機能が選択されると、拡大表示機能に使用される拡大表示フレームは限定される。すなわち図４の４−Ａの２５分割された画像の太枠の拡大表示フレームと図４の４−Ｂで示される太枠の拡大表示フレームが登録されている場合、図４の４−Ａに示される拡大表示フレームから図４の４−Ｂに示される拡大表示フレームに移動する場合は図４の４−Ｂに示される矢印のような移動はせず、２つの拡大表示フレーム間だけの移動ですむ。すでに登録されている拡大表示フレームを消去する場合（Ｓ６０２）、登録されている拡大表示フレームの一括消去が選択される場合（Ｓ６０３）、消去される拡大表示フレームが拡大表示フレームのホームポジションとして登録されているフレームまで消去するかどうか選択する（Ｓ６０８）、全てを消去する場合はすべての登録されている拡大表示フレームの消去がされ（Ｓ６０９）、拡大表示フレームのホームポジションとして登録されているフレームは消去しないを選択すると（Ｓ６０８）、拡大表示フレームのホームポジション以外の登録されている拡大表示フレームを一括消去する（Ｓ６１０）。また、登録されている拡大表示フレームの個別消去（Ｓ６０４）が選択されると、消去する拡大表示フレームを選択し（Ｓ６０５、Ｓ６０６、Ｓ６０７）、消去される拡大表示フレームが決定されると（Ｓ６０６）、拡大表示フレームのホームポジションとして登録されているフレームまで消去するか選択する（Ｓ６０８）、拡大表示フレームのホームポジションとして登録されているフレームも消去する場合（Ｓ６０８）、選択された登録されている拡大表示フレームを消去する（Ｓ６０９）。また、拡大表示フレームのホームポジションとして登録されているフレームは消去しない場合、それ以外の消去すると選択された拡大表示フレームを消去する（Ｓ６１０）。
【実施例２】
【００１４】
レンズなどの光学系ユニット、電子シャッターもしくはメカシャッターなどのシャッターユニット、ＣＣＤやＣＭＯＳなどの撮像素子および各種処理プロセッサーで構成される撮像部１００と、撮影した画像データを格納する前バッファであるバッファメモリ１０１と、前記格納された画像データを画像処理および圧縮処理を行う画像処理部１０２と、画像処理および圧縮処理後の画像データを格納する後バッファであるバッファメモリ１０３と、デジタルスチルカメラ本体を操作する操作部１０４と、撮影した画像表示および操作のためのメニュー表示をするための画像表示装置１０５と、画像表示を制御する画像表示制御部１０６と、デジタルスチルカメラ全体を制御する制御部１０７と、コンパクトフラッシュ（登録商標）などのリムーバブルな外部記憶装置とのインタフェース１０８とリムーバブルな外部記憶装置１０９とからなる電子機器において、前記デジタルスチルカメラは撮影後の画像データを画像表示部１０５へ拡大表示をする拡大表示機能を有し、また、操作部１０４の操作により、画像データのどの部分を拡大表示させるか選択するための拡大表示位置選択機能を有する。
【００１５】
拡大表示フレームのホームポジションを登録する（Ｓ１０１）。拡大表示フレームの登録機能が有効になっている場合（Ｓ１０２）、画像表示部１０５に表示される拡大表示フレームの分割画面（図２）を見ながら、操作部１０４の操作により登録する拡大表示フレームを選択する（Ｓ１０３、Ｓ１０４）。たとえば、図４の４−Ａに太枠で示された拡大表示フレームを登録する拡大表示フレームと決定すると操作部１０４に含まれるホームポジション登録釦により拡大表示フレームの位置情報とホームポジション情報が画像表示制御１０６の制御情報（図１１）として記憶される（Ｓ１０５、Ｓ１０６）。  拡大表示機能が選択され、拡大表示フレームを選択する（Ｓ２０１、Ｓ２０２、Ｓ２０３）。例えば拡大表示フレームが図４の４−Ｂの太枠で示されるフレームとする。操作部１０４の操作により拡大表示指示がされ（Ｓ２０４）、拡大表示処理がされる（Ｓ２０５）。その後ユーザが拡大表示位置を事前に設定した拡大表示フレームのホームポジションに移動させたい場合、操作部１０４に含まれる拡大表示フレームのホームポジションに移動するための操作釦を押す（Ｓ２０６）。もし拡大表示フレームのホームポジションの登録が無い場合（Ｓ２０７）は拡大表示フレームのホームポジションが未登録であることを通知するなんらかの警告機能を有する場合（Ｓ２０９）は警告動作をし（Ｓ２１０）、そうでない場合は何もしない。逆にたとえば図４の４−Ｃの太枠で示される拡大表示フレームが拡大表示フレームのホームポジションとして登録されている場合は（Ｓ２０７）、図４の４−Ｃに示される矢印のように前記ホームポジションに移動する（Ｓ２−８）。もし拡大表示フレームの表示ポジションに移動後、拡大表示の表示操作がされれば拡大表示をする。
【実施例３】
【００１６】
レンズなどの光学系ユニット、電子シャッターもしくはメカシャッターなどのシャッターユニット、ＣＣＤやＣＭＯＳなどの撮像素子および各種処理プロセッサーで構成される撮像部１００と、撮影した画像データを格納する前バッファであるバッファメモリ１０１と、前記格納された画像データを画像処理および圧縮処理を行う画像処理部１０２と、画像処理および圧縮処理後の画像データを格納する後バッファであるバッファメモリ１０３と、デジタルスチルカメラ本体を操作する操作部１０４と、撮影した画像表示および操作のためのメニュー表示をするための画像表示装置１０５と、画像表示を制御する画像表示制御部１０６と、デジタルスチルカメラ全体を制御する制御部１０７と、コンパクトフラッシュ（登録商標）などのリムーバブルな外部記憶装置とのインタフェース１０８とリムーバブルな外部記憶装置１０９とからなる電子機器において、前記デジタルスチルカメラは撮影後の画像データを画像表示部１０５へ拡大表示をする拡大表示機能を有し、また、操作部１０４の操作により、画像データのどの部分を拡大表示させるか選択するための拡大表示位置選択機能を有する。
【００１７】
拡大表示フレームを登録する。拡大表示フレームの登録機能が有効の場合（Ｓ３０１）、
画像表示部１０５に表示される撮影画像に対する拡大フレームの分割状況（図２）を確認しながら、操作部１０４に含まれる拡大表示フレームの移動操作により登録する拡大表示フレームを選択する（Ｓ３０２、Ｓ３０３）。画像表示制御部１０６は拡大表示フレームの登録は拡大表示フレームの位置と登録の順番を記憶する（Ｓ３０４）。まだ登録する拡大表示フレームが存在すればステップＳ３０２からステップＳ３０４を繰り返す（Ｓ３０５）。
【００１８】
図５の５−Ａの太枠で示される拡大表示フレーム（１）が登録する拡大表示フレームとして選択された場合（Ｓ３０２）、ステップＳ３０４で前記図５の５−Ａの拡大表示フレーム（１）の位置と１番目の登録であることが画像表示制御部１０５に記憶される。次に図５の５−Ｂの太枠に示される拡大表示フレーム（２）が登録する拡大フレームとして選択された場合（Ｓ３０２）、ステップＳ３０４で図５の５−Ｂの拡大表示フレーム（２）の位置と２番目に登録されたことが画像表示制御部１０５に記憶される。次に図５の５−Ｃの太枠で示される拡大表示フレーム（３）が登録する拡大表示フレームとして選択された場合（Ｓ３０２）、ステップＳ３０４で図５の５−Ｃの拡大表示フレーム（３）の位置と３番目に登録あれたことが画像表示制御部１０５に記憶される。次に図５の５−Ｄの太枠で示される拡大表示フレーム（４）が登録する拡大表示フレームとして選択された場合（Ｓ３０２）、ステップＳ３０４で図５の５−Ｄの拡大表示フレーム（４）の位置と４番目に登録されたことが画像表示制御部１０５に記憶される。次に図５の５−Ｅの太枠で示される拡大表示フレーム（５）が登録する拡大表示フレームとして選択された場合（Ｓ３０２）、ステップＳ３０４で図５の５−Ｅの拡大表示フレーム（５）の位置と５番目に登録されたことが画像表示制御部１０５に記憶される。
【００１９】
結果この例では図５の５−Ｅの太枠で示される（１）から（５）の拡大表示フレームが２５個に分割された拡大表示フレームから選択され登録されたことになる。
【００２０】
次に撮影した画像を拡大表示する場合である。拡大表示フレームの登録機能が無効の場合（Ｓ４０１）、現在の拡大表示フレームから順次一定の方向に拡大したいフレームが選択される（Ｓ４０３）。拡大表示フレームが選択され拡大表示される（Ｓ４０６、Ｓ４０７、Ｓ４０８）。別の拡大表示フレームを表示する場合はステップＳ４０３、Ｓ４０６、Ｓ４０７、Ｓ４０８が繰り返される。拡大表示フレームの登録機能が有効の場合（Ｓ４０１）、登録されている拡大表示フレーム、たとえば図５の５−Ｅの太枠で示される（１）から（５）に限定され、操作部１０４の選択操作により拡大表示したい拡大表示フレームが選択される。前記操作で選択可能な拡大表示フレームの選択表示は選択操作に連動して図５の５−Ｆの矢印で示されるような方向に移動する。この順序は拡大表示フレームの登録順である。
【００２１】
したがって、その他の拡大表示フレームは拡大表示機能の対象として認識されないので操作性が容易になる。さらに拡大表示フレームのホームポジションがすでに登録されている場合は操作部１０４によるホームポジション移動釦により指定された拡大表示フレームに移動する。
【実施例４】
【００２２】
レンズなどの光学系ユニット、電子シャッターもしくはメカシャッターなどのシャッターユニット、ＣＣＤやＣＭＯＳなどの撮像素子および各種処理プロセッサーで構成される撮像部１００と、撮影した画像データを格納する前バッファであるバッファメモリ１０１と、前記格納された画像データを画像処理および圧縮処理を行う画像処理部１０２と、画像処理および圧縮処理後の画像データを格納する後バッファであるバッファメモリ１０３と、デジタルスチルカメラ本体を操作する操作部１０４と、撮影した画像表示および操作のためのメニュー表示をするための画像表示装置１０５と、画像表示を制御する画像表示制御部１０６と、デジタルスチルカメラ全体を制御する制御部１０７と、コンパクトフラッシュ（登録商標）などのリムーバブルな外部記憶装置とのインタフェース１０８とリムーバブルな外部記憶装置１０９とからなる電子機器において、前記デジタルスチルカメラは撮影後の画像データを画像表示部１０５へ拡大表示をする拡大表示機能を有し、また、操作部１０４の操作により、画像データのどの部分を拡大表示させるか選択するための拡大表示位置選択機能を有する。
【００２３】
撮影画像確認機能もしくは拡大機能の一部として拡大表示フレームを連続的に画像表示部１０５に表示する機能がある場合。拡大表示フレーム登録機能が無効の場合（Ｓ５０１）、通常の拡大表示フレームの先頭から拡大表示フレームの最後まで表示をする（Ｓ５０３、Ｓ５０５、Ｓ５０６、Ｓ５０７）。拡大表示フレームの登録機能が有効の場合（Ｓ５０１）、画像表示制御部１０６は登録されている拡大表示フレームが存在するか否かを確認する（Ｓ５０２）。拡大表示フレームが一つ以上登録されている場合、画像表示制御部１０６は１番目に登録されている拡大表示フレームに移動し（Ｓ５０４）、拡大画像の表示をする（Ｓ５０５）。画像表示制御部１０６は登録された順番に拡大表示フレームに移動し（Ｓ５０６）、順次拡大表示をする（Ｓ５０５）。そして連続した画像の拡大表示動作は登録拡大表示フレームの最後まで行われる（Ｓ５０７）。
【図面の簡単な説明】
【００２４】
【図１】デジタルカメラの概略ブロック図である。
【図２】拡大前画像の拡大表示フレーム分割図である。
【図３】拡大画像表示概念図である。
【図４】拡大表示フレームのホームポジション移動概念図である。
【図５】拡大表示フレームの選択および登録概念図と選択された拡大フレームの移動順序図である。
【図６】ホームポジション登録に関するフローチャートである。
【図７】任意の拡大表示フレームからホームポジションへ移動するフローチャートである。
【図８】拡大表示フレーム登録に関するフローチャートである。
【図９】拡大表示フレーム登録後の拡大表示に関するフローチャートである。
【図１０】拡大表示フレームの連続表示に関するフローチャートである。
【図１１】拡大表示フレームの登録情報を示す図である。
【図１２】登録されている拡大表示フレームの消去に関するフローチャートである。
【符号の説明】
【００２５】
１００：  撮像部
１０１：  バッファメモリ（  前バッファ  ：  一時記憶領域  ）
１０２  ：  画像処理部
１０３  ：  バッファメモリ（  後バッファ  ：  一時記憶領域  ）
１０４  ：  操作部
１０５  ：  画像表示部
１０６  ：  画像表示制御部
１０７  ：  制御部
１０８  ：  インタフェース
１０９  ：  リムーバブルディスク
【図１】
2005150962.tif 000003
【図２】
2005150962.tif 000004
【図３】
2005150962.tif 000005
【図４】
2005150962.tif 000006
【図５】
2005150962.tif 000007
【図６】
2005150962.tif 000008
【図７】
2005150962.tif 000009
【図８】
2005150962.tif 000010
【図９】
2005150962.tif 000011
【図１０】
2005150962.tif 000012
【図１１】
2005150962.tif 000013
【図１２】
2005150962.tif 000014